(57)【要約】【課題】飛行体の交代を適切に実行可能な技術を提供することが望ましい。【解決手段】地上にセルを形成してセル内のユーザ端末に無線通信サービスを提供するためのアンテナを有する飛行体を制御する制御装置であって、第１の周波数帯のセルによって地上の対象エリアをカバーしている第１の飛行体と、第２の飛行体との交代を制御する交代制御部を備え、交代制御部は、第２の飛行体が第１の飛行体の位置に対応する位置に移動した後、第１の飛行体に、第１の周波数帯のうちの一部の周波数帯の使用を継続させつつ第１の周波数帯のうちの残りの部分の周波数帯の使用を停止させ、かつ、第２の飛行体に、一部の周波数帯を含まず残りの部分の周波数帯を含む周波数帯のセルであって第１の飛行体によるセルと重複するセルを形成させて、第１の飛行体にセルの形成を停止させる、制御装置を提供する。【選択図】図１
2020043494.tif 000002
【特許請求の範囲】
【請求項１】
地上にセルを形成して前記セル内のユーザ端末に無線通信サービスを提供するためのアンテナを有する飛行体を制御する制御装置であって、
第１の周波数帯のセルによって地上の対象エリアをカバーしている第１の飛行体と、第２の飛行体との交代を制御する交代制御部を備え、
前記交代制御部は、前記第２の飛行体が前記第１の飛行体の位置に対応する位置に移動した後、前記第１の飛行体が、前記第１の周波数帯のうちの一部の周波数帯の使用を継続しつつ前記第１の周波数帯のうちの残りの部分の周波数帯の使用を停止し、かつ、前記第２の飛行体が、前記一部の周波数帯を含まず前記残りの部分の周波数帯を含む周波数帯のセルであって前記第１の飛行体によるセルと重複するセルを形成し、前記第１の飛行体が前記セルの形成を停止するように、前記第１の飛行体及び前記第２の飛行体を制御する、
制御装置。
【請求項２】
前記交代制御部は、前記第１の飛行体が、前記第１の周波数帯のうちの一部の周波数帯の使用を継続しつつ前記第１の周波数帯のうちの残りの部分の周波数帯の使用を停止し、かつ、前記第２の飛行体が、前記一部の周波数帯を含まず前記残りの部分の周波数帯を含む周波数帯のセルであって前記第１の飛行体によるセルと重複するセルを形成した後、前記第１の飛行体が、前記第１の飛行体のセルに在圏しているユーザ端末を前記第２の飛行体のセルにハンドオーバさせるように、前記第１の飛行体及び前記第２の飛行体を制御する、請求項１に記載の制御装置。
【請求項３】
前記交代制御部は、前記第１の飛行体が、前記第１の飛行体のセルに在圏しているユーザ端末に対してハンドオーバ指示を送信することによって、前記第１の飛行体のセルに在圏しているユーザ端末を前記第２の飛行体のセルにハンドオーバさせるように、前記第１の飛行体を制御する、請求項２に記載の制御装置。
【請求項４】
前記交代制御部は、前記第１の飛行体が、前記第１の飛行体のセルに在圏しているユーザ端末に対してハンドオーバ指示を送信し、かつ、接続要求を受け付けないことによって、前記第１の飛行体のセルに在圏しているユーザ端末を前記第２の飛行体のセルにハンドオーバさせるように、前記第１の飛行体を制御する、請求項３に記載の制御装置。
【請求項５】
前記交代制御部は、前記第２の飛行体が、前記対象エリアの上空を定点飛行している前記第１の飛行体の軌道内に移動した後、前記第１の飛行体が、前記第１の周波数帯のうちの一部の周波数帯の使用を継続しつつ前記第１の周波数帯のうちの残りの部分の周波数帯の使用を停止し、かつ、前記第２の飛行体が、前記一部の周波数帯を含まず前記残りの部分の周波数帯を含む周波数帯のセルであって前記第１の飛行体によるセルと重複するセルを形成し、前記第１の飛行体が前記セルの形成を停止するように、前記第１の飛行体及び前記第２の飛行体を制御する、請求項１から４のいずれか一項に記載の制御装置。
【請求項６】
前記交代制御部は、前記第２の飛行体が、前記第１の周波数帯のマルチセルによって地上の対象エリアをカバーしている前記第１の飛行体の位置に対応する位置に移動した後、前記第１の飛行体が、前記第１の周波数帯のうちの一部の周波数帯の使用を継続しつつ前記第１の周波数帯のうちの残りの部分の周波数帯の使用を停止し、かつ、前記第２の飛行体が、前記一部の周波数帯を含まず前記残りの部分の周波数帯を含む周波数帯のマルチセルであって前記第１の飛行体によるマルチセルと重複するマルチセルを形成し、前記第１の飛行体が前記マルチセルの形成を停止するように、前記第１の飛行体及び前記第２の飛行体を制御する、請求項１から５のいずれか一項に記載の制御装置。
【請求項７】
前記交代制御部は、前記第１の周波数帯のマルチセルによって地上の対象エリアをカバーしている前記第１の飛行体が、前記マルチセルを仮想単一セルにした後、前記第２の飛行体が、前記第１の飛行体の位置に対応する位置に移動し、前記第１の飛行体が、前記第１の周波数帯のうちの一部の周波数帯の使用を継続しつつ前記第１の周波数帯のうちの残りの部分の周波数帯の使用を停止し、かつ、前記第２の飛行体が、前記一部の周波数帯を含まず前記残りの部分の周波数帯を含む周波数帯のセルであって前記第１の飛行体によるセルと重複するセルを形成し、前記第１の飛行体が前記仮想単一セルの形成を停止し、かつ、前記第２の飛行体がマルチセルを形成するように、前記第１の飛行体及び前記第２の飛行体を制御する、請求項１から５のいずれか一項に記載の制御装置。
【請求項８】
前記交代制御部は、前記第１の飛行体が形成しているマルチセルのうちの１つのセルをメインセルとして決定し、前記メインセルを拡大し、前記マルチセルのうちの前記メインセル以外のセルを停止することによって、前記マルチセルを仮想単一セルにするように、前記第１の飛行体を制御する、請求項７に記載の制御装置。
【請求項９】
前記交代制御部は、前記第１の飛行体が形成しているマルチセルの中心に位置するセルをメインセルとして決定する、請求項８に記載の制御装置。
【請求項１０】
前記交代制御部は、前記第１の飛行体が形成しているマルチセルのうち、他のセルと重複しているエリアの合計サイズが最も大きいセルをメインセルとして決定する、請求項８に記載の制御装置。
【請求項１１】
前記交代制御部は、前記第１の飛行体が形成しているマルチセルのそれぞれの通信トラフィックに基づいて、前記メインセルを決定する、請求項８に記載の制御装置。
【請求項１２】
前記交代制御部は、前記第１の飛行体が形成しているマルチセルのうち、通信トラフィックが最も多いセルを前記メインセルとして決定する、請求項１１に記載の制御装置。
【請求項１３】
コンピュータを、請求項１から１２のいずれか一項に記載の制御装置として機能させるためのプログラム。
【請求項１４】
地上にセルを形成して前記セル内のユーザ端末に無線通信サービスを提供するためのアンテナを有する飛行体を制御する制御方法であって、
第１の周波数帯のセルによって地上の対象エリアをカバーしている第１の飛行体と、第２の飛行体との交代を制御する交代制御段階を備え、
前記交代制御段階は、前記第２の飛行体が前記第１の飛行体の位置に対応する位置に移動した後、前記第１の飛行体が、前記第１の周波数帯のうちの一部の周波数帯の使用を継続しつつ前記第１の周波数帯のうちの残りの部分の周波数帯の使用を停止し、かつ、前記第２の飛行体が、前記一部の周波数帯を含まず前記残りの部分の周波数帯を含む周波数帯のセルであって前記第１の飛行体によるセルと重複するセルを形成し、前記第１の飛行体が前記セルの形成を停止するように、前記第１の飛行体及び前記第２の飛行体を制御する、
制御方法。
【請求項１５】
地上にセルを形成して前記セル内のユーザ端末に無線通信サービスを提供するためのアンテナを有する飛行体であって、
第１の周波数帯のセルによって地上の対象エリアをカバーしているときに、前記対象エリアのカバーを他の飛行体と交代する交代処理を実行する交代制御部
を備え、
前記交代制御部は、前記他の飛行体が自機の位置に対応する位置に移動してきた後、前記第１の周波数帯のうちの一部の周波数帯の使用を継続しつつ前記第１の周波数帯のうちの残りの部分の周波数帯の使用を停止し、自機のセルに在圏するユーザ端末を、前記一部の周波数帯を含まず前記残りの部分の周波数帯を含む周波数帯のセルであって自機によるセルと重複するセルを形成した前記他の飛行体にハンドオーバさせた後、セルの形成を停止する、
飛行体。
【請求項１６】
地上にセルを形成して前記セル内のユーザ端末に無線通信サービスを提供するためのアンテナを有する飛行体であって、
第１の周波数帯のセルによって地上の対象エリアをカバーしている他の飛行体との交代を制御する交代制御部
を備え、
前記交代制御部は、前記他の飛行体の位置に対応する位置に移動し、前記他の飛行体が前記第１の周波数帯のうちの一部の周波数帯の使用を継続しつつ前記第１の周波数帯のうちの残りの部分の周波数帯の使用を停止した後、前記一部の周波数帯を含まず前記残りの部分の周波数帯を含む周波数帯のセルであって前記他の飛行体によるセルと重複するセルを形成する、
飛行体。
【発明の詳細な説明】
【技術分野】
【０００１】
本発明は、制御装置、プログラム、制御方法及び飛行体に関する。
【背景技術】
【０００２】
成層圏プラットフォームを提供すべく、アンテナを有し、成層圏を飛行する飛行体が知られていた（例えば、特許文献１参照）。
［先行技術文献］
［特許文献］
［特許文献１］特開２００２−２１１４９６号公報
【発明の概要】
【発明が解決しようとする課題】
【０００３】
飛行体の交代を適切に実行可能な技術を提供することが望ましい。
【課題を解決するための手段】
【０００４】
本発明の第１の態様によれば、地上にセルを形成してセル内のユーザ端末に無線通信サービスを提供するためのアンテナを有する飛行体を制御する制御装置が提供される。制御装置は、第１の周波数帯のセルによって地上の対象エリアをカバーしている第１の飛行体と、第２の飛行体との交代を制御する交代制御部を備えてよい。交代制御部は、第２の飛行体が第１の飛行体の位置に対応する位置に移動した後、第１の飛行体が、第１の周波数帯のうちの一部の周波数帯の使用を継続しつつ第１の周波数帯のうちの残りの部分の周波数帯の使用を停止し、かつ、第２の飛行体が、一部の周波数帯を含まず残りの部分の周波数帯を含む周波数帯のセルであって第１の飛行体によるセルと重複するセルを形成し、第１の飛行体がセルの形成を停止するように、第１の飛行体及び第２の飛行体を制御してよい。
【０００５】
上記交代制御部は、上記第１の飛行体が、上記第１の周波数帯のうちの一部の周波数帯の使用を継続しつつ上記第１の周波数帯のうちの残りの部分の周波数帯の使用を停止し、かつ、上記第２の飛行体が、上記一部の周波数帯を含まず上記残りの部分の周波数帯を含む周波数帯のセルであって上記第１の飛行体によるセルと重複するセルを形成した後、上記第１の飛行体が、上記第１の飛行体のセルに在圏しているユーザ端末を上記第２の飛行体のセルにハンドオーバさせるように、上記第１の飛行体及び上記第２の飛行体を制御してよい。上記交代制御部は、上記第１の飛行体が、上記第１の飛行体のセルに在圏しているユーザ端末に対してハンドオーバ指示を送信することによって、上記第１の飛行体のセルに在圏しているユーザ端末を上記第２の飛行体のセルにハンドオーバさせるように、上記第１の飛行体を制御してよい。上記交代制御部は、上記第１の飛行体が、上記第１の飛行体のセルに在圏しているユーザ端末に対してハンドオーバ指示を送信し、かつ、接続要求を受け付けないことによって、上記第１の飛行体のセルに在圏しているユーザ端末を上記第２の飛行体のセルにハンドオーバさせるように、上記第１の飛行体を制御してよい。
【０００６】
上記交代制御部は、上記第２の飛行体が、上記対象エリアの上空を定点飛行している上記第１の飛行体の軌道内に移動した後、上記第１の飛行体が、上記第１の周波数帯のうちの一部の周波数帯の使用を継続しつつ上記第１の周波数帯のうちの残りの部分の周波数帯の使用を停止し、かつ、上記第２の飛行体が、上記一部の周波数帯を含まず上記残りの部分の周波数帯を含む周波数帯のセルであって上記第１の飛行体によるセルと重複するセルを形成し、上記第１の飛行体が上記セルの形成を停止するように、上記第１の飛行体及び上記第２の飛行体を制御してよい。上記交代制御部は、上記第２の飛行体が、上記第１の周波数帯のマルチセルによって地上の対象エリアをカバーしている上記第１の飛行体の位置に対応する位置に移動した後、上記第１の飛行体が、上記第１の周波数帯のうちの一部の周波数帯の使用を継続しつつ上記第１の周波数帯のうちの残りの部分の周波数帯の使用を停止し、かつ、上記第２の飛行体が、上記一部の周波数帯を含まず上記残りの部分の周波数帯を含む周波数帯のマルチセルであって上記第１の飛行体によるマルチセルと重複するマルチセルを形成し、上記第１の飛行体が上記マルチセルの形成を停止するように、上記第１の飛行体及び上記第２の飛行体を制御してよい。
【０００７】
上記交代制御部は、上記第１の周波数帯のマルチセルによって地上の対象エリアをカバーしている上記第１の飛行体が、上記マルチセルを仮想単一セルにした後、上記第２の飛行体が、上記第１の飛行体の位置に対応する位置に移動し、上記第１の飛行体が、上記第１の周波数帯のうちの一部の周波数帯の使用を継続しつつ上記第１の周波数帯のうちの残りの部分の周波数帯の使用を停止し、かつ、上記第２の飛行体が、上記一部の周波数帯を含まず上記残りの部分の周波数帯を含む周波数帯のセルであって上記第１の飛行体によるセルと重複するセルを形成し、上記第１の飛行体が上記仮想単一セルの形成を停止し、かつ、上記第２の飛行体がマルチセルを形成するように、上記第１の飛行体及び上記第２の飛行体を制御してよい。上記交代制御部は、上記第１の飛行体が形成しているマルチセルのうちの１つのセルをメインセルとして決定し、上記メインセルを拡大し、上記マルチセルのうちの上記メインセル以外のセルを停止することによって、上記マルチセルを仮想単一セルにするように、上記第１の飛行体を制御してよい。上記交代制御部は、上記第１の飛行体が形成しているマルチセルの中心に位置するセルをメインセルとして決定してよい。上記交代制御部は、上記第１の飛行体が形成しているマルチセルのうち、他のセルと重複しているエリアの合計サイズが最も大きいセルをメインセルとして決定してよい。上記交代制御部は、上記第１の飛行体が形成しているマルチセルのそれぞれの通信トラフィックに基づいて、上記メインセルを決定してよい。上記交代制御部は、上記第１の飛行体が形成しているマルチセルのうち、通信トラフィックが最も多いセルを上記メインセルとして決定してよい。
【０００８】
本発明の第２の態様によれば、コンピュータを、上記制御装置として機能させるためのプログラムが提供される。
【０００９】
本発明の第３の態様によれば、地上にセルを形成してセル内のユーザ端末に無線通信サービスを提供するためのアンテナを有する飛行体を制御する制御方法が提供される。制御方法は、第１の周波数帯のセルによって地上の対象エリアをカバーしている第１の飛行体と、第２の飛行体との交代を制御する交代制御段階を備えてよい。交代制御段階は、第２の飛行体が第１の飛行体の位置に対応する位置に移動した後、第１の飛行体が、第１の周波数帯のうちの一部の周波数帯の使用を継続しつつ第１の周波数帯のうちの残りの部分の周波数帯の使用を停止し、かつ、第２の飛行体が、一部の周波数帯を含まず残りの部分の周波数帯を含む周波数帯のセルであって第１の飛行体によるセルと重複するセルを形成し、第１の飛行体がセルの形成を停止するように、第１の飛行体及び第２の飛行体を制御してよい。
【００１０】
本発明の第４の態様によれば、地上にセルを形成してセル内のユーザ端末に無線通信サービスを提供するためのアンテナを有する飛行体が提供される。飛行体は、第１の周波数帯のセルによって地上の対象エリアをカバーしているときに、対象エリアのカバーを他の飛行体と交代する交代処理を実行する交代制御部を備えてよい。交代制御部は、他の飛行体が自機の位置に対応する位置に移動してきた後、第１の周波数帯のうちの一部の周波数帯の使用を継続しつつ第１の周波数帯のうちの残りの部分の周波数帯の使用を停止し、自機のセルに在圏するユーザ端末を、一部の周波数帯を含まず残りの部分の周波数帯を含む周波数帯のセルであって自機によるセルと重複するセルを形成した他の飛行体にハンドオーバさせた後、セルの形成を停止してよい。
【００１１】
本発明の第５の態様によれば、地上にセルを形成してセル内のユーザ端末に無線通信サービスを提供するためのアンテナを有する飛行体が提供される。飛行体は、第１の周波数帯のセルによって地上の対象エリアをカバーしている他の飛行体との交代を制御する交代制御部を備えてよい。交代制御部は、他の飛行体の位置に対応する位置に移動し、他の飛行体が第１の周波数帯のうちの一部の周波数帯の使用を継続しつつ第１の周波数帯のうちの残りの部分の周波数帯の使用を停止した後、一部の周波数帯を含まず残りの部分の周波数帯を含む周波数帯のセルであって他の飛行体によるセルと重複するセルを形成してよい。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】飛行体１００の一例を概略的に示す。
【図２】制御装置３００による交代制御処理の流れの一例を概略的に示す。
【図３】制御装置３００による交代制御処理の流れの一例を概略的に示す。
【図４】制御装置３００による交代制御処理の流れの一例を概略的に示す。
【図５】制御装置３００による交代制御処理の流れの一例を概略的に示す。
【図６】制御装置３００の機能構成の一例を概略的に示す。
【図７】飛行体１００が有する制御装置１３０の機能構成の一例を概略的に示す。
【図８】制御装置３００として機能するコンピュータ１０００のハードウェア構成の一例を概略的に示す。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、飛行体１００の一例を概略的に示す。飛行体１００は、本体部１０２及び主翼部１０４を備える。本体部１０２は、プロペラ１０６、スキッド１０８、及び車輪１１０を有する。主翼部１０４は、太陽電池パネル１１２を有する。
【００１６】
本体部１０２は、不図示のバッテリ及びアンテナを備える。太陽電池パネル１１２によって発電された電力は、バッテリに蓄積される。飛行体１００は、バッテリに蓄電された電力を用いてプロペラ１０６を回転させることによって飛行可能である。また、飛行体１００は、アンテナによって、地上にセル１２０を形成して、セル１２０内のユーザ端末３０に無線通信サービスを提供する。アンテナは、例えば、マルチビームアンテナであってよい。セル１２０は、単一のセルによって構成されてよい。また、セル１２０は、複数のサブセル１２２によって構成されてもよい。すなわち、セル１２０は、マルチセルによって構成されてもよい。飛行体１００は、例えば、成層圏を飛行して地上のユーザ端末３０に無線通信サービスを提供する。飛行体１００は、成層圏プラットフォームとして機能してよい。
【００１７】
ユーザ端末３０は、飛行体１００と通信可能な通信端末であればどのような端末であってもよい。例えば、ユーザ端末３０は、スマートフォン等の携帯電話である。ユーザ端末３０は、タブレット端末及びＰＣ（Ｐｅｒｓｏｎａｌ  Ｃｏｍｐｕｔｅｒ）等であってもよい。
【００１８】
飛行体１００は、例えば、ユーザ端末３０と、地上のネットワーク２０との通信を中継することによって、ユーザ端末３０に無線通信サービスを提供する。ネットワーク２０は、通信事業者によって提供されるコアネットワークを含んでよい。また、ネットワーク２０は、インターネットを含んでよい。
【００１９】
飛行体１００は、地上の各地に配置されたゲートウェイ２２のうち、セル１２０内のゲートウェイ２２を介してネットワーク２０と通信してよい。また、例えば、飛行体１００は、不図示の通信衛星を介してネットワーク２０と通信してもよい。
【００２０】
飛行体１００は、例えば、セル１２０内のユーザ端末３０から受信したデータを、ネットワーク２０に送信する。また、飛行体１００は、例えば、ネットワーク２０を介して、セル１２０内のユーザ端末３０宛のデータを受信した場合、当該データをユーザ端末３０に送信する。
【００２１】
ユーザ端末３０によって飛行体１００を介して行われる通信は、通信管理装置４００によって管理されてよい。通信管理装置４００は、例えば、通信事業者のコアネットワーク内に配置される。通信管理装置４００は、ユーザ端末３０によって飛行体１００を介して行われる通信に関する通信情報を外部に提供してよい。通信情報は、例えば、ユーザ端末３０によって飛行体１００を介して実行される通信の通信トラフィックを含む。通信管理装置４００は、通信情報を、ネットワーク２０を介して制御装置３００に送信してよい。なお、制御装置３００と通信管理装置４００とは一体であってもよい。すなわち、制御装置３００が、通信管理装置４００として機能してもよい。
【００２２】
飛行体１００は、制御装置３００によって制御されてよい。飛行体１００は、例えば、制御装置３００によってネットワーク２０及びゲートウェイ２２を介して送信された指示に従って飛行する。
【００２３】
制御装置３００は、指示を送信することによって飛行体１００を制御する。制御装置３００は、セル１２０によって地上の対象エリアをカバーさせるべく、飛行体１００に、対象エリアの上空を旋回させてよい。飛行体１００が対象エリアをカバーすべく、対象エリアの上空を旋回することを定点飛行と記載する場合がある。制御装置３００は、複数の対象エリアのそれぞれに対して、飛行体１００に定点飛行をさせることにより、複数の対象エリアのそれぞれをカバーさせてよい。
【００２４】
制御装置３００は、対象エリアをカバーしている飛行体１００を、他の飛行体１００と交代させる交代制御処理を実行する。制御装置３００は、例えば、対象エリアをカバーしている飛行体１００のメンテナンスをする場合に、当該飛行体１００を、他の飛行体１００と交代させる。また、制御装置３００は、オペレータの指示に従って、任意のタイミングで、対象エリアをカバーしている飛行体１００を他の飛行体１００と交代させる。
【００２５】
対象エリアをカバーしている第１の飛行体１００を第２の飛行体１００と交代する場合、例えば、第１の飛行体１００に無線通信サービスの提供を停止させ、第１の飛行体１００が飛行していた飛行エリアに第２の飛行体１００を向かわせて、第２の飛行体１００による無線通信サービスの提供を開始させることが考えられる。しかしこの場合、交代時に、一時的にサービス断が発生したり、一時的にサービス品質が劣化してしまったりすることになる。地上に設置されている無線基地局の場合は、カバーエリアの大きさが限定的であるので一時的サービス品質劣化は許容されているが、例えば成層圏プラットフォームとして機能するような飛行体１００は、カバーエリアが広大になるので影響が甚大になる可能性がある。
【００２６】
本実施形態に係る制御装置３００は、例えば、第１の周波数帯のセルによって地上の対象エリアをカバーしている第１の飛行体１００と、第２の飛行体１００とを交代させる場合に、第２の飛行体１００が第１の飛行体１００の位置に対応する位置に移動した後、第１の飛行体１００が、第１の周波数帯のうちの一部の周波数帯の使用を継続しつつ、第１の周波数帯のうちの残りの部分の周波数帯の使用を停止し、かつ、第２の飛行体１００が、当該一部の周波数帯を含まず当該残りの部分の周波数帯を含む周波数帯のセルであって第１の飛行体１００によるセルと重複するセルを形成し、第１の飛行体１００が、第１の飛行体１００のセルに在圏しているユーザ端末３０を第２の飛行体１００のセルにハンドオーバさせて、セルの形成を停止するように、第１の飛行体１００及び第２の飛行体１００を制御する。
【００２７】
第１の飛行体１００の位置に対応する位置とは、例えば、第１の飛行体１００の飛行経路内であってよい。例えば、第１の飛行体１００が定点飛行をしている場合、第１の飛行体１００の位置に対応する位置は、定点飛行の軌道内であってよい。また、飛行体１００の位置に対応する位置とは、飛行体１００から予め定められた距離の範囲内のいずれかの位置であってもよい。
【００２８】
このような交代処理を実行することにより、第１の飛行体１００のセルに在圏しているユーザ端末３０が、第２の飛行体１００のセルにハンドオーバした後に、第１の飛行体１００のセルを停止させることになり、ユーザ端末３０は第１の飛行体１００によるサービスに引き続いて第２の飛行体１００によるサービスを受けることができる。すなわち、本実施形態に係る制御装置３００によれば、ユーザ端末３０に発生する一時的なサービス断や一時的なサービス品質の劣化を抑制することができる。
【００２９】
なお、交代時に、第１の飛行体１００が、第１の周波数帯のうち一部の周波数帯の使用を継続しつつ残りの部分の周波数帯の使用を停止することにより、対象エリア内のユーザ端末３０が使用可能な帯域が減少することになる。例えば、第１の周波数帯のうち５０％の使用を継続しつつ残りの５０％の使用を停止した場合、対象エリア内のユーザ端末３０が使用可能な帯域は半減することになる。しかし、もともとのＰＲＢ（Ｐｈｙｓｉｃａｌ  Ｒｅｓｏｕｒｃｅ  Ｂｌｏｃｋ）の使用率が５０％以下であれば、サービス品質が低下することはない。
【００３０】
図２は、制御装置３００による交代制御処理の流れの一例を概略的に示す。ここでは、飛行体１００を飛行体２００と交代させる処理を例に挙げて説明する。飛行体２００は、飛行体１００と同様の構成を有する。飛行体１００及び飛行体２００は、制御装置３００の指示に従って各動作を実行してよい。図２では、飛行体１００が、対象エリア４０の上空を定点飛行して、対象エリア４０を、第１の周波数帯のセル１２０によってカバーしている状態を開始状態として説明する。なお、ユーザ端末３０の図示は省略している。
【００３１】
Ｓ１０２では、飛行体２００が、飛行体１００の位置に対応する位置に到着する。Ｓ１０４では、飛行体１００が、第１の周波数帯のうちの一部の周波数帯の使用を継続しつつ第１の周波数帯のうちの残りの部分の周波数帯の使用を停止する。また、飛行体２００が、当該一部の周波数帯を含まず、当該残りの部分の周波数帯を含む周波数帯のセルであって、飛行体１００によるセル１２０と重複するセル２２０を形成する。その後、飛行体１００が、セル１２０に在圏しているユーザ端末３０をセル２２０にハンドオーバさせる。
【００３２】
Ｓ１０６では、飛行体１００が、セル１２０の形成を停止する。Ｓ１０８では、飛行体１００が、定点飛行の軌道から外れて、予め定められた場所や、指定された場所に移動する。
【００３３】
図３は、制御装置３００による交代制御処理の流れの一例を概略的に示す。ここでは、単一セルによって構成される第１の周波数帯のセル１５０を形成している飛行体１００と、飛行体２００とを交代させる処理を例に挙げて説明する。飛行体１００及び飛行体２００は、制御装置３００の指示に従って各動作を実行してよい。ここでは、第１の周波数帯の帯域幅が１０ＭＨｚである場合を例に挙げて説明する。
【００３４】
Ｓ２０２では、飛行体２００が飛行体１００の位置に対応する位置に移動した後、飛行体１００が、第１の周波数帯のうちの後半５０％の使用を継続しつつ、第１の周波数帯のうちの前半５０％の使用を停止する。飛行体１００の使用周波数帯１５２は、第１の周波数帯のうちの後半の５ＭＨｚとなる。また、飛行体２００が、第１の周波数帯のうちの前半５０％のセルであってセル１５０と重複するセル２５０を形成する。飛行体２００の使用周波数帯２５２は、第１の周波数帯のうちの後半の５ＭＨｚとなる。その後、飛行体１００が、セル１５０に在圏しているユーザ端末３０をセル２５０にハンドオーバさせる。
【００３５】
制御装置３００は、飛行体２００がセル２５０を形成するときに、飛行体２００及び飛行体１００に、セル１５０とセル２５０との位置を合わせるフットプリント合わせを行わせてよい。制御装置３００は、飛行体２００に対してセル１５０の位置を通知したり、飛行体１００に対してセル２５０の位置を通知したり、飛行体２００に対してセル１５０の位置を通知するとともに飛行体１００に対してセル２５０の位置を通知することによって、フットプリント合わせを行わせてよい。また、制御装置３００は、セル１５０とセル２５０の位置が合うように、飛行体２００に対してセル２５０の位置を指定したり、飛行体１００に対してセル１５０の位置を指定したりしてもよい。また、フットプリント合わせは、飛行体１００及び飛行体２００によって自律的に実行されてもよい。
【００３６】
Ｓ２０４では、飛行体１００が、セル１５０の形成を停止し、定点飛行の軌道から外れて、予め定められた場所や、指定された場所に移動する。また、飛行体２００が、使用する周波数帯を増加する。飛行体２００は、例えば、使用する周波数帯を、第１の周波数帯の前半５ＭＨｚから第１の周波数帯の全体に変更する。
【００３７】
図３に示すように、単一セルによって構成される第１の周波数帯のセル１５０を形成している飛行体１００の位置に対応する位置に飛行体２００が移動した後、飛行体１００が、第１の周波数帯のうちの一部の周波数帯の使用を継続しつつ第１の周波数帯のうちの残りの部分の周波数帯の使用を停止し、かつ、飛行体２００が、当該一部の周波数帯を含まず当該残りの部分の周波数帯を含む周波数帯のセルであって飛行体１００によるセルと重複するセルを形成し、飛行体１００がセルの形成を停止し、飛行体２００が、使用する周波数帯を増加するように飛行体１００及び飛行体２００を制御することによって、無線通信サービスのシームレスな切り替えを実現でき、飛行体１００と飛行体２００との適切な交代を実現できる。
【００３８】
図４は、制御装置３００による交代制御処理の流れの一例を概略的に示す。ここでは、第１の周波数帯のマルチセル１６０を形成している飛行体１００と、飛行体２００とを交代させる処理を例に挙げて説明する。飛行体１００及び飛行体２００は、制御装置３００の指示に従って各動作を実行してよい。ここでは、第１の周波数帯の帯域幅が１０ＭＨｚである場合を例に挙げて説明する。
【００３９】
Ｓ３０２では、飛行体２００が飛行体１００の位置に対応する位置に移動した後、飛行体１００が、第１の周波数帯のうちの後半５０％の使用を継続しつつ、第１の周波数帯のうちの前半５０％の使用を停止する。飛行体１００の使用周波数帯１６２は、第１の周波数帯のうちの後半の５ＭＨｚとなる。また、飛行体２００が、第１の周波数帯のうちの前半５０％のセルであってマルチセル１６０と重複するマルチセル２６０を形成する。飛行体２００の使用周波数帯２６２は、第１の周波数帯のうちの後半の５ＭＨｚとなる。その後、飛行体１００が、マルチセル１６０に在圏しているユーザ端末３０をマルチセル２６０にハンドオーバさせる。
【００４０】
制御装置３００は、飛行体２００にマルチセル２６０を形成させるときに、飛行体２００及び飛行体１００に、マルチセル１６０とマルチセル２６０との位置を合わせるフットプリント合わせを行わせてよい。制御装置３００は、飛行体２００に対してマルチセル１６０の位置を通知したり、飛行体１００に対してマルチセル２６０の位置を通知したり、飛行体２００に対してマルチセル１６０の位置を通知するとともに飛行体１００に対してマルチセル２６０の位置を通知することによって、フットプリント合わせを行わせてよい。また、制御装置３００は、マルチセル１６０とマルチセル２６０の位置が合うように、飛行体２００に対してマルチセル２６０の位置を指定したり、飛行体１００に対してマルチセル１６０の位置を指定したりしてもよい。また、フットプリント合わせは、飛行体１００及び飛行体２００によって自律的に実行されてもよい。
【００４１】
Ｓ３０４では、飛行体１００が、マルチセル１６０の形成を停止し、定点飛行の軌道から外れて、予め定められた場所や、指定された場所に移動する。また、飛行体２００が、使用する周波数帯を増加する。飛行体２００は、例えば、使用する周波数帯を、第１の周波数帯の前半５ＭＨｚから第１の周波数帯の全体に変更する。
【００４２】
図４に示すように、マルチセル１６０を形成している飛行体１００の位置に対応する位置に飛行体２００が移動した後、飛行体１００が、第１の周波数帯のうちの一部の周波数帯の使用を継続しつつ第１の周波数帯のうちの残りの部分の周波数帯の使用を停止し、かつ、飛行体２００が、当該一部の周波数帯を含まず当該残りの部分の周波数帯を含む周波数帯のマルチセルであって飛行体１００によるマルチセル１６０と重複するマルチセル２６０を形成し、飛行体１００がマルチセル１６０の形成を停止するように飛行体１００及び飛行体２００を制御することによって、無線通信サービスのシームレスな切り替えを実現でき、飛行体１００と飛行体２００との適切な交代を実現できる。
【００４３】
図５は、制御装置３００による交代制御処理の流れの一例を概略的に示す。ここでは、図４と異なる点を主に説明する。
【００４４】
Ｓ４０２では、飛行体１００が、ＳＦＮ（Ｓｉｎｇｌｅ  Ｆｒｅｑｕｅｎｃｙ  Ｎｅｔｗｏｒｋ）により、マルチセル１６０を仮想単一セル１５４にする。飛行体１００は、例えば、マルチセル１６０に含まれる複数のセルのうちの１つをメインセルとして決定し、メインセルを拡大し、メインセル以外のセルを停止することによって、マルチセル１６０を仮想単一セル１５４にしてよい。飛行体１００の使用周波数帯１５６は、第１の周波数帯の全体である。
【００４５】
Ｓ４０４では、飛行体２００が飛行体１００の位置に対応する位置に移動した後、飛行体１００が、第１の周波数帯のうちの後半５０％の使用を継続しつつ、第１の周波数帯のうちの前半５０％の使用を停止する。飛行体１００の使用周波数帯１５６は、第１の周波数帯のうちの後半の５ＭＨｚとなる。また、飛行体２００が、第１の周波数帯のうちの前半５０％のセルであって仮想単一セル１５４と重複するセル２５４を形成する。飛行体２００の使用周波数帯２５６は、第１の周波数帯のうちの前半の５ＭＨｚとなる。このとき、制御装置３００は、飛行体２００及び飛行体１００に、仮想単一セル１５４とセル２５４との位置を合わせるフットプリント合わせを行わせてよい。その後、飛行体１００が、仮想単一セル１５４に在圏しているユーザ端末３０をセル２５４にハンドオーバさせる。
【００４６】
Ｓ４０６では、飛行体１００が、仮想単一セル１５４の形成を停止し、定点飛行の軌道から外れて、予め定められた場所や、指定された場所に移動する。また、飛行体２００が、使用する周波数帯を増加する。飛行体２００は、例えば、使用する周波数帯を、第１の周波数帯の前半５ＭＨｚから第１の周波数帯の全体に変更する。
【００４７】
Ｓ４０８では、飛行体２００が、マルチセル２６０を形成する。飛行体２００は、セル２５４を縮小させるとともに、他の複数のセルを形成することによって、マルチセル２６０を形成してよい。飛行体２００の使用周波数帯２６２は、第１の周波数帯の全体である。
【００４８】
図５に示すように、マルチセル１６０を形成している飛行体１００が、マルチセル１６０を仮想単一セル１５４にした後、飛行体２００が飛行体１００の位置に対応する位置に移動し、飛行体１００が、第１の周波数帯のうちの一部の周波数帯の使用を継続しつつ第１の周波数帯のうちの残りの部分の周波数帯の使用を停止し、かつ、飛行体２００が、当該一部の周波数帯を含まず当該残りの部分の周波数帯を含む周波数帯のセルであって飛行体１００によるセルと重複するセル２５４を形成し、飛行体１００が仮想単一セル１５４の形成を停止し、かつ、飛行体２００がマルチセル２６０を形成するように、飛行体１００及び飛行体２００を制御することによって、図４に示した例と比較して、マルチセル１６０及びマルチセル２６０のそれぞれのセル毎のフットプリント合わせを不要にすることができ、処理を簡略化することができる。
【００４９】
なお、図５に示す交代制御処理の場合、セルＡ、セルＢ、セルＣ、セルＤ、セルＥ、及びセルＦに在圏していたユーザ端末３０は、Ｓ４０２において、飛行体１００がマルチセル１６０を仮想単一セル１５４にするときに、無線瞬断が発生し得る。
【００５０】
制御装置３００は、例えば、マルチセル１６０に含まれる複数のセルの中心に位置するセルをメインセルとして決定してよい。また、制御装置３００は、マルチセル１６０に含まれる複数のセルのうち、他のセルと重複しているエリアの合計サイズが最も大きいセルをメインセルとして決定してよい。図５に示す例では、セルＧがメインセルとして決定される。そして、制御装置３００は、メインセルを拡大させ、メインセル以外のセルを停止させることによって、マルチセル１６０を仮想単一セル１５４にさせてよい。これにより、メインセル以外に在圏していたユーザ端末３０のうち、メインセルにハンドオーバすることによって無線瞬断を回避できるユーザ端末３０の数を増加させることができる。
【００５１】
また、制御装置３００は、マルチセル１６０に含まれる複数のセルのうち、通信トラフィックが最も多いセルをメインセルとして決定してよい。そして、制御装置３００は、メインセルを拡大させ、メインセル以外のセルを停止させることによって、マルチセル１６０を仮想単一セル１５４にさせてよい。これにより、他のセルをメインセルとして決定する場合と比較して、無線瞬断が発生するユーザ端末３０の数を低減することができる。
【００５２】
図６は、制御装置３００の機能構成の一例を概略的に示す。制御装置３００は、指示受付部３１２、指示送信部３１４、通信情報取得部３２０、及び制御部３３０を備える。
【００５３】
指示受付部３１２は、各種指示を受け付ける。指示受付部３１２は、例えば、対象エリア４０を指定する指示を受け付ける。また、指示受付部３１２は、例えば、飛行体１００が定点飛行する軌道を指定する指示を受け付ける。また、指示受付部３１２は、例えば、セルを形成する位置を指定する指示を受け付ける。指示受付部３１２は、制御装置３００が備える操作部を介して入力された指示を受け付けてよい。また、指示受付部３１２は、制御装置３００が備える通信部を介して、ネットワーク２０を介して受信した指示を受け付けてもよい。
【００５４】
指示送信部３１４は、指示受付部３１２が受け付けた指示を飛行体１００に送信する。指示送信部３１４は、指示を複数の飛行体１００に送信してよい。指示送信部３１４は、複数の飛行体１００のうちの一の飛行体１００に指示を送信し、当該一の飛行体１００に、他の飛行体１００に対して当該指示を送信させてもよい。
【００５５】
通信情報取得部３２０は、飛行体１００が形成しているセルによってユーザ端末３０に提供される無線通信サービスにおける通信に関する通信情報を取得する。通信情報取得部３２０は、例えば、通信トラフィックに関する情報を取得する。通信情報取得部３２０は、通信管理装置４００から通信情報を受信してよい。
【００５６】
制御部３３０は、各種制御を実行する。制御部３３０は、飛行体１００の交代制御処理を実行する。制御部３３０は、指示送信部３１４を介して各種指示を飛行体１００に送信することにより、飛行体１００を制御してよい。制御部３３０は、複数の指示をそれぞれのタイミングにあわせて飛行体１００に送信してよく、また、複数の指示をまとめて飛行体１００に送信してもよい。制御部３３０は、交代制御部の一例であってよい。
【００５７】
例えば、制御部３３０は、セルによって地上の対象エリアをカバーしている第１の飛行体１００と、第２の飛行体１００との交代を制御する。制御部３３０は、第２の飛行体１００が第１の飛行体１００の位置に対応する位置に移動した後、第１の飛行体１００が、第１の周波数帯のうちの一部の周波数帯の使用を継続しつつ第１の周波数帯のうちの残りの部分の周波数帯の使用を停止し、かつ、第２の飛行体１００が、当該一部の周波数帯を含まず当該残りの部分の周波数帯を含む周波数帯のセルであって第１の飛行体１００によるセルと重複するセルを形成し、第１の飛行体１００がセルの形成を停止するように、第１の飛行体１００及び第２の飛行体１００を制御してよい。
【００５８】
制御部３３０は、例えば、第１の飛行体１００に、第１の周波数帯のうちの５０％の使用を継続しつつ、第１の周波数帯のうちの残りの５０％の部分の周波数帯の使用を停止させてよい。そして、制御部３３０は、第２の飛行体１００に、第１の飛行体１００が使用を継続している第１の周波数帯のうちの５０％を含まず、第１の飛行体１００が使用を停止させた第１の周波数帯のうちの５０％を含む周波数帯のセルを形成させてよい。ここでは、５０％を例に挙げたが、割合はこれに限らず、任意の割合であってもよい。例えば、制御部３３０は、第１の飛行体１００に、第１の周波数帯のうちの２０％の使用を継続しつつ、第１の周波数帯のうちの残りの８０％の部分の周波数帯の使用を停止させてよい。そして、制御部３３０は、第２の飛行体１００に、第１の飛行体１００が使用を継続している第１の周波数帯のうちの２０％を含まず、第１の飛行体１００が使用を停止させた第１の周波数帯のうちの８０％を含む周波数帯のセルを形成させてよい。
【００５９】
制御部３３０は、第１の飛行体１００が、第１の周波数帯のうちの一部の周波数帯の使用を継続しつつ第１の周波数帯のうちの残りの部分の周波数帯の使用を停止し、かつ、第２の飛行体１００が、当該一部の周波数帯を含まず当該残りの部分の周波数帯を含む周波数帯のセルであって第１の飛行体１００によるセルと重複するセルを形成した後、第１の飛行体１００が、第１の飛行体１００のセルに在圏しているユーザ端末を第２の飛行体１００のセルにハンドオーバさせるように、第１の飛行体１００及び前記第２の飛行体１００を制御してよい。
【００６０】
制御部３３０は、第１の飛行体１００が、第１の飛行体１００のセルに在圏しているユーザ端末３０に対してハンドオーバ指示を送信することによって、第１の飛行体１００のセルに在圏しているユーザ端末３０を第２の飛行体１００のセルにハンドオーバさせるように、第１の飛行体１００を制御してよい。制御部３３０は、第１の飛行体１００が、第１の飛行体１００のセルに在圏しているユーザ端末３０に対してハンドオーバ指示を送信し、かつ、接続要求を受け付けないことによって、第１の飛行体１００のセルに在圏しているユーザ端末３０を第２の飛行体１００のセルにハンドオーバさせるように、第１の飛行体１００を制御してよい。
【００６１】
また、制御部３３０は、第２の飛行体１００が、対象エリアの上空を定点飛行している第１の飛行体１００の軌道内に移動した後、第１の飛行体１００が、第１の周波数帯のうちの一部の周波数帯の使用を継続しつつ第１の周波数帯のうちの残りの部分の周波数帯の使用を停止し、かつ、第２の飛行体１００が、当該一部の周波数帯を含まず当該残りの部分の周波数帯を含む周波数帯のセルであって第１の飛行体１００によるセルと重複するセルを形成し、第１の飛行体１００がセルの形成を停止するように、第１の飛行体１００及び第２の飛行体１００を制御してよい。
【００６２】
また、制御部３３０は、第２の飛行体１００が、第１の周波数帯のマルチセルによって地上の対象エリアをカバーしている第１の飛行体１００の位置に対応する位置に移動した後、第１の飛行体１００が、第１の周波数帯のうちの一部の周波数帯の使用を継続しつつ第１の周波数帯のうちの残りの部分の周波数帯の使用を停止し、かつ、第２の飛行体１００が、当該一部の周波数帯を含まず当該残りの部分の周波数帯を含む周波数帯のマルチセルであって第１の飛行体によるマルチセルと重複するマルチセルを形成し、第１の飛行体１００がマルチセルの形成を停止するように、第１の飛行体１００及び第２の飛行体１００を制御してよい。制御部３３０は、第１の飛行体１００に、第１の周波数帯のうちの一部の周波数帯の使用を継続しつつ第１の周波数帯のうちの残りの部分の周波数帯の使用を停止させる場合に、マルチセルのすべてのサブセルについて同時に行わせてよく、また、マルチセルのサブセル単位で時間をずらして行わせてもよい。
【００６３】
また、制御部３３０は、第１の周波数帯のマルチセルによって地上の対象エリアをカバーしている第１の飛行体１００が、マルチセルを仮想単一セルにした後、第２の飛行体１００が、第１の飛行体１００の位置に対応する位置に移動し、第１の飛行体１００が、第１の周波数帯のうちの一部の周波数帯の使用を継続しつつ第１の周波数帯のうちの残りの部分の周波数帯の使用を停止し、かつ、第２の飛行体１００が、当該一部の周波数帯を含まず当該残りの部分の周波数帯を含む周波数帯のセルであって第１の飛行体１００によるセルと重複するセルを形成し、第１の飛行体１００が仮想単一セルの形成を停止し、かつ、第２の飛行体１００がマルチセルを形成するように、第１の飛行体１００及び第２の飛行体１００を制御してよい。
【００６４】
制御部３３０は、第１の飛行体１００が形成しているマルチセルの中心に位置するセルをメインセルとして決定してよい。また、制御部３３０は、第１の飛行体１００が形成しているマルチセルのうち、他のセルと重複しているエリアの合計サイズが最も大きいセルをメインセルとして決定してよい。また、制御部３３０は、第１の飛行体１００が形成しているマルチセルのそれぞれの通信トラフィックに基づいて、メインセルを決定してもよい。例えば、制御部３３０は、第１の飛行体１００が形成しているマルチセルのうち、通信トラフィックが最も多いセルをメインセルとして決定する。
【００６５】
図７は、飛行体１００が有する制御装置１３０の機能構成の一例を概略的に示す。制御装置１３０は、無線通信部１３６及び制御部１４０を備える。
【００６６】
無線通信部１３６は、バッテリ１３４に蓄電されている電力を用いて、各種通信を実行する。無線通信部１３６は、例えば、セル１２０を形成する。無線通信部１３６は、ネットワーク２０との通信を実行してよい。無線通信部１３６は、制御装置３００との通信を実行してよい。無線通信部１３６は、通信管理装置４００との通信を実行してよい。無線通信部１３６は、他の飛行体１００との通信を実行してよい。無線通信部１３６は、通信衛星との通信を実行してよい。
【００６７】
制御部１４０は、飛行体１００の飛行を制御する。また、制御部１４０は、無線通信部１３６によるセルの形成を制御する。制御部１４０は、制御装置３００からの指示に従って、飛行体１００の飛行及びセルの形成等を制御してよい。
【００６８】
制御部１４０は、通信情報取得部１４２及び交代制御部１４４を有する。通信情報取得部１４２は、飛行体１００が形成しているセルによってユーザ端末３０に提供される無線通信サービスにおける通信に関する通信情報を取得する。通信情報取得部１４２は、例えば、通信トラフィックに関する情報を取得する。通信情報取得部１４２は、通信管理装置４００から通信情報を受信してよい。
【００６９】
交代制御部１４４は、他の飛行体１００との交代を制御する。交代制御部１４４は、例えば、自機（交代制御部１４４が搭載されている飛行体１００を自機と記載する場合がある。）が地上の対象エリアの上空を定点飛行しながら、無線通信部１３６が形成する第１の周波数帯のセルによって対象エリアをカバーしているときに、当該対象エリアのカバーを他の飛行体１００と交代する交代制御処理を実行する。
【００７０】
交代制御部１４４は、他の飛行体１００が自機の位置に対応する位置に移動してきた後、第１の周波数帯のうちの一部の周波数帯の使用を継続しつつ第１の周波数帯のうちの残りの部分の周波数帯の使用を停止し、自機のセルに在圏するユーザ端末３０を、当該一部の周波数帯を含まず当該残りの部分の周波数帯を含む周波数帯のセルであって自機によるセルと重複するセルを形成した他の飛行体１００にハンドオーバさせた後、セルの形成を停止する。そして、交代制御部１４４は、自機を、予め定められた場所や、指定された場所に移動させる。
【００７１】
また、交代制御部１４４は、自機が対象エリアの上空を定点飛行している場合に、他の飛行体１００が定点飛行の軌道内に移動した後、第１の周波数帯のうちの一部の周波数帯の使用を継続しつつ第１の周波数帯のうちの残りの部分の周波数帯の使用を停止し、自機のセルに在圏するユーザ端末３０を、当該一部の周波数帯を含まず当該残りの部分の周波数帯を含む周波数帯のセルであって自機によるセルと重複するセルを形成した他の飛行体１００にハンドオーバさせた後、セルの形成を停止する。そして、交代制御部１４４は、自機を、予め定められた場所や、指定された場所に移動させる。
【００７２】
また、交代制御部１４４は、自機が第１の周波数帯のマルチセルによって地上の対象エリアをカバーしている場合に、他の飛行体１００が自機の位置に対応する位置に移動してきた後、第１の周波数帯のうちの一部の周波数帯の使用を継続しつつ第１の周波数帯のうちの残りの部分の周波数帯の使用を停止し、自機のセルに在圏するユーザ端末３０を、当該一部の周波数帯を含まず当該残りの部分の周波数帯を含む周波数帯のセルであって自機によるセルと重複するセルを形成した他の飛行体１００にハンドオーバさせた後、セルの形成を停止する。そして、交代制御部１４４は、自機を、予め定められた場所や、指定された場所に移動させる。
【００７３】
また、交代制御部１４４は、自機が第１の周波数帯のマルチセルによって地上の対象エリアをカバーしている場合に、まず、マルチセルを仮想単一セルにし、その後、他の飛行体１００が自機の位置に対応する位置に移動してきた後、第１の周波数帯のうちの一部の周波数帯の使用を継続しつつ第１の周波数帯のうちの残りの部分の周波数帯の使用を停止し、自機のセルに在圏するユーザ端末３０を、当該一部の周波数帯を含まず当該残りの部分の周波数帯を含む周波数帯のセルであって自機によるセルと重複するセルを形成した他の飛行体１００にハンドオーバさせた後、セルの形成を停止する。そして、交代制御部１４４は、自機を、予め定められた場所や、指定された場所に移動させる。
【００７４】
交代制御部１４４は、無線通信部１３６に、マルチセルを仮想単一セルにさせる場合に、マルチセルのうちの１つのセルをメインセルとして決定し、メインセルを拡大し、マルチセルのうちのメインセル以外のセルを停止することによって、マルチセルを仮想単一セルにさせてもよい。交代制御部１４４は、マルチセルの中心に位置するセルをメインセルとして決定してよい。また、交代制御部１４４は、マルチセルのうち、他のセルと重複しているエリアの合計サイズが最も大きいセルをメインセルとして決定してよい。また、交代制御部１４４は、マルチセルのそれぞれの通信トラフィックに基づいて、メインセルを決定してもよい。例えば、交代制御部１４４は、マルチセルのうち、通信トラフィックが最も多いセルをメインセルとして決定する。
【００７５】
交代制御部１４４は、地上に第１の周波数帯のセルを形成して地上の対象エリアをカバーしている他の飛行体１００と自機とを交代する交代制御処理を実行してもよい。
【００７６】
交代制御部１４４は、自機を他の飛行体１００の位置に対応する位置に移動させた後、他の飛行体１００が、第１の周波数帯のうちの一部の周波数帯の使用を継続しつつ第１の周波数帯のうちの残りの部分の周波数帯の使用を停止した後、当該一部の周波数帯を含まず当該残りの部分の周波数帯を含む周波数帯のセルであって、他の飛行体１００のセルと重複するセルを形成するよう制御する。交代制御部１４４は、その後、使用する周波数帯を増加してよい。例えば、交代制御部１４４は、使用する周波数帯を、第１の周波数帯の全体に変更する。
【００７７】
図８は、制御装置１３０又は制御装置３００として機能するコンピュータ１０００の一例を概略的に示す。本実施形態に係るコンピュータ１０００は、ホストコントローラ１０９２により相互に接続されるＣＰＵ１０１０及びＲＡＭ１０３０を有するＣＰＵ周辺部と、入出力コントローラ１０９４によりホストコントローラ１０９２に接続されるＲＯＭ１０２０、通信Ｉ／Ｆ１０４０、記憶装置１０５０、及び入出力チップ１０８０を有する入出力部を備える。
【００７８】
ＣＰＵ１０１０は、ＲＯＭ１０２０及びＲＡＭ１０３０に格納されたプログラムに基づいて動作し、各部の制御を行う。通信Ｉ／Ｆ１０４０は、ネットワークを介して他の装置と通信する。また、通信Ｉ／Ｆ１０４０は、通信を行うハードウェアとして機能する。記憶装置１０５０は、ハードディスクドライブ、ソリッドステートディスク、及びソリッドステートドライブ等であってよく、ＣＰＵ１０１０が使用するプログラム及びデータを格納する。
【００７９】
ＲＯＭ１０２０は、コンピュータ１０００が起動時に実行するブート・プログラム及びコンピュータ１０００のハードウェアに依存するプログラムなどを格納する。入出力チップ１０８０は、例えばＵＳＢポート、パラレルポート、シリアルポート、キーボードポート、マウスポートなどを介して各種の入出力装置を入出力コントローラ１０９４へと接続する。
【００８０】
ＲＡＭ１０３０を介して記憶装置１０５０に提供されるプログラムは、ＩＣカードなどの記録媒体に格納されて利用者によって提供される。プログラムは、記録媒体から読み出され、ＲＡＭ１０３０を介して記憶装置１０５０にインストールされ、ＣＰＵ１０１０において実行される。
【００８１】
コンピュータ１０００にインストールされ、コンピュータ１０００を制御装置１３０又は制御装置３００として機能させるプログラムは、ＣＰＵ１０１０などに働きかけて、コンピュータ１０００を、制御装置１３０又は制御装置３００の各部としてそれぞれ機能させてよい。これらのプログラムに記述された情報処理は、コンピュータ１０００に読込まれることにより、ソフトウエアと上述した各種のハードウェア資源とが協働した具体的手段である無線通信部１３６及び制御部１４０として機能する。また、これらのプログラムに記述された情報処理は、コンピュータ１０００に読込まれることにより、ソフトウエアと上述した各種のハードウェア資源とが協働した具体的手段である指示受付部３１２、指示送信部３１４、通信情報取得部３２０、及び制御部３３０として機能する。そして、これらの具体的手段によって、本実施形態におけるコンピュータ１０００の使用目的に応じた情報の演算又は加工を実現することにより、使用目的に応じた特有の制御装置１３０又は制御装置３００が構築される。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８３】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８４】
２０  ネットワーク、２２  ゲートウェイ、３０  ユーザ端末、４０  対象エリア、１００  飛行体、１０２  本体部、１０４  主翼部、１０６  プロペラ、１０８  スキッド、１１０  車輪、１１２  太陽電池パネル、１２０  セル、１２２  サブセル、１３０  制御装置、１３４  バッテリ、１３６  無線通信部、１４０  制御部、１４２  通信情報取得部、１４４  交代制御部、１５０  セル、１５２  使用周波数帯、１５４  仮想単一セル、１５６  使用周波数帯、１６０  マルチセル、１６２  使用周波数帯、２００  飛行体、２２０  セル、２５０  セル、２５２  使用周波数帯、２５４  セル、２５６  使用周波数帯、２６０  マルチセル、２６２  使用周波数帯、３００  制御装置、３１２  指示受付部、３１４  指示送信部、３２０  通信情報取得部、３３０  制御部、１０００  コンピュータ、１０１０  ＣＰＵ、１０２０  ＲＯＭ、１０３０  ＲＡＭ、１０４０  通信Ｉ／Ｆ、１０５０  記憶装置、１０８０  入出力チップ、１０９２  ホストコントローラ、１０９４  入出力コントローラ
【図１】
2020043494.tif 000003
【図２】
2020043494.tif 000004
【図３】
2020043494.tif 000005
【図４】
2020043494.tif 000006
【図５】
2020043494.tif 000007
【図６】
2020043494.tif 000008
【図７】
2020043494.tif 000009
【図８】
2020043494.tif 000010